(57)【要約】【課題】  液晶パネルを用いた画像表示装置で発生する動画像のボケを、大容量のメモリを用いることなく、かつ、画質の低下を抑制しつつ、改善する。【解決手段】  各フレーム周期において、各水平周期中を分割した２つの期間のうち、第１期間毎に、液晶画素の各行を、所定の第１先頭行から順に選択するとともに、第２期間毎に、液晶画素の各行を、第１先頭行から所定間隔離れた第２先頭行から順に選択する。第１期間に対応する駆動画像データとして入力画像データを含み、第２期間に対応する駆動画像データとして所定のマスクデータを含む駆動画像データ信号を生成する。第１期間で選択される行の液晶画素に対しては駆動画像データ信号に含まれている入力画像データのうち対応するデータを書き込む。第２期間で選択される行の液晶画素に対しては駆動画像データ信号に含まれているマスクデータのうち対応するデータを書き込む。【選択図】        図３
2006227235.tif 000002
【特許請求の範囲】
【請求項１】
画像表示装置に用いられる液晶装置であって、
マトリクス状に配列された液晶画素を有する液晶部と、
前記液晶画素を行単位で選択する垂直駆動部と、
選択された行の各列の液晶画素に駆動画像データを書き込む水平駆動部と、
入力される画像信号と、前記画像信号の同期信号として入力される垂直同期信号、水平同期信号、および画素クロック信号とに基づいて、前記垂直駆動部および前記水平駆動部の動作を制御する駆動制御部と、を備え、
前記駆動制御部は、
前記垂直同期信号の表す各フレーム周期において、前記水平同期信号の表す各水平周期中を分割した２つの期間のうち、第１期間毎に、前記液晶画素の各行を所定の第１先頭行から順に選択するとともに、第２期間毎に、前記液晶画素の各行を前記第１先頭行から所定間隔離れた第２先頭行から順に選択するように、前記垂直駆動部を制御する駆動タイミング制御部と、
前記第１期間に対応する前記駆動画像データとして前記画像信号の表す入力画像データを含み、前記第２期間に対応する前記駆動画像データとして所定のマスクデータを含む駆動画像データ信号を生成し、前記水平駆動部に供給する駆動画像データ生成部と、を備え、
前記第１期間で選択される行の液晶画素に対しては、前記駆動画像データ信号に含まれている前記入力画像データのうち対応するデータを書き込むとともに、前記第２期間で選択される行の液晶画素に対しては、前記駆動画像データ信号に含まれている前記マスクデータのうち対応するデータを書き込む、
ことを特徴とする液晶装置。
【請求項２】
請求項１記載の液晶装置であって、
前記水平同期信号の表す各水平周期中を分割した２つの期間のうち、前半の期間が前記第１期間であり、後半の期間が前記第２期間である
ことを特徴とする液晶装置。
【請求項３】
請求項１記載の液晶装置であって、
前記水平同期信号の表す各水平周期中を分割した２つの期間のうち、後半の期間が前記第１期間であり、前半の期間が前記第２期間である
ことを特徴とする液晶装置。
【請求項４】
請求項１ないし請求項３のいずれかに記載の液晶装置であって、
前記マスクデータの表す画素値は、所定の輝度レベルに対応する画素値であることを特徴とする液晶装置。
【請求項５】
請求項４記載の液晶装置であって、
前記所定の輝度レベルに対応する画素値は黒色の輝度レベルに対応する画素値であることを特徴とする液晶装置。
【請求項６】
請求項１ないし請求項３のいずれかに記載の液晶装置であって、
前記マスクデータの表す画素値は、前記マスクデータが書き込まれる液晶画素毎に、それぞれ対応する前記入力画像データの表す画素値に応じて決定されることを特徴とする液晶装置。
【請求項７】
画像表示装置であって、
請求項１ないし請求項６のいずれかに記載の液晶装置と、
前記液晶装置を照明する照明光を射出する照明装置と、
を備えることを特徴とする画像表示装置。
【請求項８】
画像を投写表示する投写型表示装置であって、
請求項１ないし請求項４のいずれかに記載の液晶装置と、
前記液晶装置を照明する照明光を射出する照明装置と、
前記液晶装置から射出された画像を表す光を投写する投写光学系と、
を備えることを特徴とする投写型表示装置。
【請求項９】
マトリクス状に配列された液晶画素を有する液晶部と、前記液晶画素を行単位で選択する垂直駆動部と、選択された行の各列の液晶画素に駆動画像データを書き込む水平駆動部と、を備える液晶装置を、入力される画像信号と、前記画像信号の同期信号として入力される垂直同期信号、水平同期信号、および画素クロック信号とに基づいて、駆動する駆動方法であって、
垂直同期信号の表す各フレーム周期において、水平同期信号の表す各水平周期中を分割した２つの期間のうち、第１期間毎に、前記液晶画素の各行を所定の第１先頭行から順に選択するとともに、第２期間毎に、前記液晶画素の各行を前記第１先頭行から所定間隔離れた第２先頭行から順に選択するように、前記垂直駆動部を制御し、
前記第１期間に対応する前記駆動画像データとして前記画像信号の表す入力画像データを含み、前記第２期間に対応する前記駆動画像データとして所定のマスクデータを含む駆動画像データ信号を生成し、前記水平駆動部に供給し、
前記第１期間で選択される行の液晶画素に対しては、前記駆動画像データ信号に含まれている前記入力画像データのうち対応するデータを書き込むとともに、前記第２期間で選択される行の液晶画素に対しては、前記駆動画像データ信号に含まれている前記マスクデータのうち対応するデータを書き込むように、前記水平駆動部を制御する、
ことを特徴とする駆動方法。
【発明の詳細な説明】
【技術分野】
【０００１】
この発明は、液晶パネル(液晶装置)を用いた画像表示装置で表示される動画像のボケを改善するための液晶パネルの駆動技術に関する。
【背景技術】
【０００２】
液晶パネルを用いた画像表示装置（「液晶表示装置」とも呼ぶ）の普及が進んでいる。この液晶パネルの各画素(以下、「液晶画素」と呼ぶ)は、ホールド型の電気光学素子であり、与えられる信号周波数の高域での応答特性が低下する低域通過型の時間周波数特性を有している。このため、例えば、液晶表示装置で動画像を表示する場合、動画像中の物体の移動速度に応じて物体の輪郭のボケやゴーストが発生するという問題がある。なお、以下では、これら物体の輪郭のボケやゴーストを、まとめて「動画像のボケ」あるいは「動画ボケ」と呼ぶ。
【０００３】
この問題を解決する技術として、例えば、下記の特許文献１に記載したものが知られている。
【０００４】
【特許文献１】特開２００２−１３２２２０号公報
【０００５】
特許文献１には、第１の技術として、奇数番目の水平ラインに対応する液晶画素に対しては対応する画像データをそのまま書き込むとともに、偶数番目の水平ラインに対応する液晶画素に対しては黒色の画像データを書き込むフレームと、奇数番目の水平ラインに対応する液晶画素に対しては黒色の画像データを書き込むとともに、偶数番目の水平ラインに対応する液晶画素に対しては対応する画像データをそのまま書き込むフレームとを、交互に繰り返して画像を表示する技術が開示されている。
【０００６】
また、特許文献１には、第２の技術として、１フレームを２倍速の２つのフィールドに分割し、偶数番目の水平ラインに対応する液晶画素に対しては黒色の画像データを書き込むフィールドと、奇数番目の水平ラインに対応する液晶画素に対しては黒色の画像データを書き込むとともに、偶数番目の水平ラインに対応する液晶画素に対しては対応する画像データをそのまま書き込むフィールドとを、交互に繰り返して画像を表示する技術が開示されている。
【発明の開示】
【発明が解決しようとする課題】
【０００７】
しかしながら、上記第１の技術では、動画像のボケは改善できるが、１フレームの期間で表示される画像が、１水平ライン毎に欠落してしまうため、画質が低下するという問題がある。
【０００８】
また、第２の技術では、１フレームを２倍速の２つのフィールドとするために、少なくとも１フレーム分の画像データを保持するための大容量のメモリ(「フレームバッファ」と呼ばれる)が必須となるという問題がある。
【０００９】
この発明は、従来技術における上述の課題を解決するためになされたものであり、液晶パネルを用いた画像表示装置で発生する動画像のボケを、大容量のメモリを用いることなく、かつ、画質の低下を抑制しつつ、改善する技術を提供することを目的とする。
【課題を解決するための手段】
【００１０】
上述の課題の少なくとも一部を解決するために、本発明の液晶装置は、
画像表示装置に用いられる液晶装置であって、
マトリクス状に配列された液晶画素を有する液晶部と、
前記液晶画素を行単位で選択する垂直駆動部と、
選択された行の各列の液晶画素に駆動画像データを書き込む水平駆動部と、
入力される画像信号と、前記画像信号の同期信号として入力される垂直同期信号、水平同期信号、および画素クロック信号とに基づいて、前記垂直駆動部および前記水平駆動部の動作を制御する駆動制御部と、を備え、
前記駆動制御部は、
前記垂直同期信号の表す各フレーム周期において、前記水平同期信号の表す各水平周期中を分割した２つの期間のうち、第１期間毎に、前記液晶画素の各行を所定の第１先頭行から順に選択するとともに、第２期間毎に、前記液晶画素の各行を前記第１先頭行から所定間隔離れた第２先頭行から順に選択するように、前記垂直駆動部を制御する駆動タイミング制御部と、
前記第１期間に対応する前記駆動画像データとして前記画像信号の表す入力画像データを含み、前記第２期間に対応する前記駆動画像データとして所定のマスクデータを含む駆動画像データ信号を生成し、前記水平駆動部に供給する駆動画像データ生成部と、を備え、
前記第１期間で選択される行の液晶画素に対しては、前記駆動画像データ信号に含まれている前記入力画像データのうち対応するデータを書き込むとともに、前記第２期間で選択される行の液晶画素に対しては、前記駆動画像データ信号に含まれている前記マスクデータのうち対応するデータを書き込む、
ことを特徴とする。
【００１１】
上記液晶装置によれば、画像表示装置で発生する動画像のボケを、従来技術の場合に必要であった大容量のメモリを用いることなく、かつ、画質の低下を抑制しつつ、改善することができる。
【００１２】
なお、前記水平同期信号の表す各水平周期中を分割した２つの期間のうち、前半の期間が前記第１期間であり、後半の期間が前記第２期間であってもよいし、後半の期間が前記第１期間であり、前半の期間が前記第２期間であってもよい。
【００１３】
上記液晶装置において、前記マスクデータの表す画素値は、所定の輝度レベルに対応する画素値であることが好ましい。
【００１４】
例えば、所定の輝度レベルを黒色の輝度レベルとした場合には、表示される画像の明るさは最も暗くなるが、最も効果的に動画像のボケを改善することができる。また、所定の輝度レベルを、黒色の輝度レベルよりも高い中間調とした場合には、表示される画像の明るさをある程度確保しつつ、動画像のボケを改善することができる。
【００１５】
また、上記液晶装置において、前記マスクデータの表す画素値は、前記マスクデータが書き込まれる液晶画素毎に、それぞれ対応する前記入力画像データの表す画素値に応じて決定されるようにしてもよい。
【００１６】
こうすれば、所定の輝度レベルとして中間調に対応する画素値をマスクデータの画素値とする場合よりも効果的に表示される画像の明るさ確保しつつ、動画像のボケを改善することができる。
【００１７】
なお、上記液晶装置と、前記液晶装置を照明する照明光を射出する照明装置と、を備えることにより、画像表示装置を構成することができる。
【００１８】
また、上記液晶装置と、前記液晶装置を照明する照明光を射出する照明装置と、前記液晶装置から射出された画像を表す光を投写する投写光学系と、を備えることにより投写型表示装置を構成することができる。
【００１９】
なお、本発明は、上記した液晶装置や画像表示装置、投写型表示装置などの装置発明の態様に限ることなく、液晶装置の駆動方法などの方法発明としての態様で実現することも可能である。
【発明を実施するための最良の形態】
【００２０】
以下、本発明の実施の形態を実施例に基づいて以下の順序で説明する。
Ａ．実施例：
Ａ１．液晶表示装置の構成：
Ａ２．液晶表示装置の駆動動作：
Ａ３．駆動制御部の他の構成：
Ｂ．変形例：
【００２１】
Ａ．実施例：
Ａ１．液晶表示装置の構成：
図１は、本発明の実施例としての液晶表示装置の概略構成を示す説明図である。この液晶表示装置１０００は、液晶装置としての液晶パネル１００と、入力装置としての画像信号入力処理部２００と、各部の動作を制御する制御装置としての制御部３００と、を備えている。なお、液晶表示装置１０００は、後述する液晶部としての液晶パネル部１１０を背後から照明するバックライトを備えるが、図示は省略されている。
【００２２】
制御部３００は、図示しないＣＰＵやメモリを備えるコンピュータ、例えば、マイクロコンピュータにより構成されており、液晶パネル１００および画像信号入力処理部２００に、それぞれの動作を制御する制御データを入力して設定することにより、それぞれの動作を制御する。なお、制御データは、あらかじめ図示しないメモリに記憶されている。また、メモリに記憶されている制御データは、図示しないバスを介して接続される他の装置によって書き換えることも可能である。
【００２３】
画像信号入力処理部２００は、入力される画像信号ＶＳに含まれている画像データを、各画素のタイミングを示すタイミング信号に基づいてサンプリングし、種々の画像処理を行って、液晶パネル１００に入力可能な画像信号ＰＸＤＳに変換し、液晶パネル１００に対して出力する。また、画像信号入力処理部２００は、画像信号ＰＸＤＳのタイミングを示すタイミング信号（同期信号）として、画素クロック信号ＰＸＣＫ、水平同期信号ＨＳＹＮＫ、および垂直同期信号ＶＳＹＮＫを、液晶パネル１００に対して出力する。
【００２４】
なお、この画像信号ＶＳがアナログの画像信号の場合には、画像信号ＶＳは、同時に入力される水平同期信号（図示しない）に基づいて生成されるクロック信号でサンプリングされ、デジタルの画像データに変換される。そして、サンプリングされたデジタルの画像データは、種々の画像処理がなされた後、画素クロック信号ＰＸＣＫ、水平同期信号ＨＳＹＮＫ、および垂直同期信号ＶＳＹＮＫをタイミング信号とする画像信号ＰＸＤＳとして出力される。ただし、この画像信号ＶＳがデジタルの画像信号の場合には、画像信号ＶＳは、同時に入力される画素クロック信号（図示しない）に基づいて、そのままサンプリングされる。
【００２５】
液晶パネル１００は、液晶パネル部１１０と、垂直駆動部１２０と、水平駆動部１３０と、駆動制御部１４０と、で構成される。
【００２６】
駆動制御部１４０は、入力される画像信号ＰＸＤＳと、そのタイミング信号（同期信号）である画素クロック信号ＰＸＣＫ、水平同期信号ＨＳＹＮＣ、および垂直同期信号ＶＳＹＮＣと、に基づいて、垂直駆動信号ＶＤＲＶを生成して垂直駆動部１２０に出力するとともに、駆動画像データ信号ＣＰＸＤＳおよび水平駆動信号ＨＤＲＶを生成して水平駆動部１３０に出力し、垂直駆動部１２０および水平駆動部１３の動作を制御する。
【００２７】
図２は、駆動制御部１４０の概略構成を示す説明図である。駆動制御部１１４０は、駆動画像データ生成部１４２と、駆動タイミング制御部１４４と、で構成される。
【００２８】
駆動タイミング制御部１４４は、画素クロック信号ＰＸＣＫ、水平同期信号ＨＳＹＮＣ、および垂直同期信号ＶＳＹＮＣに基づいて、駆動画像データ生成部１４２の動作を制御するための倍速クロック信号２ＸＰＣＫおよび選択信号ＤＳＬと、垂直駆動部１２０の動作を制御するための垂直駆動信号ＶＤＲＶと、水平駆動部１３０の動作を制御するための水平駆動信号ＨＤＲＶと、を出力する。
【００２９】
駆動画像データ生成部１４２は、ラインバッファ１４２ａと、データレジスタ１４２ｂと、セレクタ１４２ｃと、を備えている。ラインバッファ１４２ａは、画像信号ＰＸＤＳの表す画像の１水平ラインの画素数に相当する数の画像データを一時記憶するためのメモリである。そして、このラインバッファ１４２ａは、画像信号ＰＸＤＳに含まれている各画素の画像データを、画素クロック信号ＰＸＣＫの周期で順に取り込んで記憶するとともに、画素クロック信号ＰＸＣＫの２倍速の周期を有する倍速クロック信号２ＸＰＣＫの周期で順に読み出し、読み出した画像データ信号２ＸＰＸＤＳをセレクタ１４２ｃに出力する。なお、この読み出した画像データ信号２ＸＰＸＤＳの表す画像データを、単に「画像データ２ＸＰＸＤＳ」と呼ぶ場合もある。
【００３０】
データレジスタ１４２ｂは、あらかじめ記憶しているマスクデータをマスクデータ信号ＣＤＳとしてセレクタ１４２ｃに出力する。このマスクデータは、あらかじめ、制御部３００によって図示しないバスを介してデータレジスタ１４２ｂに設定されている。また、このマスクデータとしては、黒色の輝度レベルに対応する画素値を表す画像データが用いられる。なお、マスクデータ信号ＣＤＳの表すマスクデータを、単に「マスクデータＣＤＳ」と呼ぶ場合もある。
【００３１】
セレクタ１４２ｃは、選択信号ＤＳＬに基づいて、ラインバッファ１４２ａから入力される画像データ信号２ＸＰＸＤＳとマスクデータ信号ＣＤＳとのいずれか一方を選択し、駆動画像データ信号ＣＰＸＤＳとして出力する。なお、この画像データ信号の選択については、後で詳述する。
【００３２】
図１の液晶パネル部１１０は、紙面横方向(水平方向)に沿って並列に配線されたｍ本の走査線Ｙ＃ｍ（ｍ＝１，２，３...）と、紙面縦方向(垂直方向に沿って並列に配線されたｎ本のデータ線Ｘ＃ｎ（ｎ＝１，２，３...）と、を備えており、各走査線とデータ線との交点の各部分には、液晶画素１１２がマトリクス状に配列されている。各液晶画素１１２は、薄膜トランジスタ（Thin Film Transistor：以下、「ＴＦＴ」と呼ぶ）１１４を介して、各交点を形成する走査線とデータ線とに接続されている。具体的には、ＴＦＴ１１４のゲート電極が走査線に接続され、ソース電極がデータ線に接続され、ドレイン電極が液晶画素１１２の画素電極に接続されている。
【００３３】
ここで、あるＴＦＴ１１４に接続されている走査線に走査信号が与えられると、そのＴＦＴ１１４は導通状態となり、そのＴＦＴ１１４に接続されているデータ線から与えられる画像データが、所定のアナログ電圧となって、そのＴＦＴ１１４に接続されている液晶画素１１２に与えられる。所定のアナログ電圧が与えられた液晶画素１１２は、その電圧に対応したねじれ状態となり光の透過率を変える。そして、背面から照射された光を所定量透過させる。結果として、液晶パネル部１１０は、各液晶画素１１２に書き込まれた画像データに対応する画像を表示することができる。
【００３４】
垂直駆動部１２０は、駆動制御部１４０から供給される垂直駆動信号ＶＤＲＶに基づいて、ｍ本の走査線Ｙ＃ｍに対して後述する順番で順に走査信号を与えて活性化（アクティブ）することにより、活性化した走査線に接続されている全てのＴＦＴ１１４を導通状態とし、導通状態とされた各ＴＦＴ１１４を介して接続されている各液晶画素１１２を、走査線に沿ったライン単位（行単位）で選択する。
【００３５】
水平駆動部１３０は、駆動制御部１４０から供給される駆動画像信号ＣＰＸＤＳの表す駆動画像データ（以下、単に「駆動画像データＣＰＣＤ」と呼ぶ場合もある）を、駆動制御部１４０から供給される水平駆動信号ＨＤＲＶに基づいて、垂直駆動部１２０により活性化された走査線に接続されている各液晶画素１１２に対して、それぞれに対応するデータ線を介して書き込む。
【００３６】
液晶表示装置１０００は、上記構成を有することにより、入力された画像信号に対応する画像を表示する。
【００３７】
Ａ２．液晶表示装置の駆動動作：
以下では、上記構成の液晶表示装置１０００において画像を表示するために実行される液晶パネル部１１０の駆動動作について説明する。
【００３８】
図３は、液晶パネル部１１０の駆動動作について示す説明図である。図３は、ある１フレーム（ｉフレーム）の画像の表示期間において実行される液晶パネル部１１０の駆動動作として、活性化される走査線と、活性化された走査線によって選択された液晶画素に与えられる駆動画像データとの関係について示している。なお、以下では、説明を容易にするため、液晶パネル部１１０に備える走査線の数をＹ＃１〜Ｙ＃６の６本として説明することとする。
【００３９】
６本の走査線Ｙ＃１〜Ｙ＃６は、１フレームの画像の表示期間、すなわち、垂直同期信号ＶＳＹＮＣの１周期の期間である［１Ｖ］期間（「フレーム周期」とも呼ぶ）ごとに、繰り返し活性化される。そして、ある１フレームの期間では、１ラインの画像の表示期間、すなわち、水平同期信号ＨＳＹＮＣの１周期の期間である［１Ｈ］期間（「水平周期」とも呼ぶ）ごとに、その［１Ｈ］期間の前半の［１／２Ｈ］期間と後半の［１／２Ｈ］期間において２本の異なった走査線の活性化が、繰り返し実行される。具体的には、各ラインの［１Ｈ］期間のうち前半の［１／２Ｈ］期間である第１期間においては、各ラインに対応する走査線、すなわち、第１番目の走査線Ｙ＃１から第６番目の走査線Ｙ＃６までの走査線を順に活性化する。一方、後半の［１／２Ｈ］期間である第２期間においては、全ラインを上下２分割したうちの後半の先頭ラインである第４番目の走査線Ｙ＃４から、Ｙ＃４，Ｙ＃５，Ｙ＃６，Ｙ＃１，Ｙ＃２，Ｙ＃３の順に活性化するように、第１期間で活性化される走査線から３ライン後に対応する走査線を活性化する。なお、図３において、第１期間で活性化される走査線は斜め線のハッチングで示されており、第２期間で活性化される走査線はドットのハッチングで示されている。
【００４０】
そして、第１期間では、駆動画像データＣＰＸＤＳとして、ラインバッファ１４２ａから倍速で読み出された画像データ２ＸＰＸＤＳが出力され、このとき活性化されている走査線に対応するラインの各液晶画素には、本来の画像データが書き込まれる。一方、第２期間の駆動画像データＣＰＸＤＳとしては、マスクデータＣＤＳが出力され、このとき活性化されている走査線に対応するラインの各液晶画素には、マスクデータ、すなわち、黒色の画像データが書き込まれる。なお、各液晶画素に書き込まれる画像データは、実際には、液晶には、水平同期信号の周期や、垂直同期信号の周期、画素クロック信号の周期等に同期して交流化されているが、本発明の説明上特に関係がないので、無視して説明している。
【００４１】
図４は、ある液晶画素に書き込まれる画像データと、その液晶画素で表示される画像の輝度について示す説明図である。上記した手順で走査線を駆動し、第１期間において本来の画像データを書き込み、第２期間において黒色の画像データを書き込むと、その液晶画素には、１フレームの期間である［１Ｖ］期間の約半分の［１／２Ｖ］期間ごとに、本来の画像データと、黒色の画像データとが交互に書き込まれることになる。具体的には、［１Ｖ］期間のうち、（前半の［１／２Ｖ］期間＋［１／２Ｈ］期間）の期間において本来の画像データが書き込まれ、残りの期間において黒色の画像データが書き込まれる。
【００４２】
従って、上記駆動動作では、本来の画像を表示する前に、一旦黒色の画像の表示を行って、その前に表示していた画像の影響を消去した後で、新たな画像を表示することができるので、従来技術で説明したような、動画像のボケの発生を抑制することが可能となる。
【００４３】
また、上記駆動動作では、１フレームの期間において、全走査線に対応する全ラインの液晶画素に対して、ライン単位で順番に本来の画像データを書き込んで表示させることができるので、従来技術で説明したような１フレームの期間において本来の画像データと黒色の画像データとをライン単位で交互に書き込むことによって発生する画質の低下という問題がない。さらに、１フレームを２倍速の２つのフィールドとする必要もないので、１フレーム分の画像データを保持するための大容量のメモリも必要としない。
【００４４】
なお、上記説明では、マスクデータとして黒色の画像データを設定することとして説明したが、これに限定されるものではなく、黒色の画像データの画素値よりも高い中間調の画素値を示す画像データをマスクデータとして設定するようにしてもよい。黒色の画像データをマスクデータとした場合には、約［１／２Ｈ］期間の間、そのラインには画像が全く表示されないことになるため、表示される画像全体の明るさが実効的に暗くなってしまう。そこで、黒色の画像データよりも高い中間調の画素値を有する画像データをマスクデータとすることにより、ある程度明るさを確保しつつ、前の画像の影響を抑制することが可能である。
【００４５】
Ａ３．駆動制御部の他の構成：
図５は、駆動制御部の他の構成を示す説明図である。この駆動制御部１４０Ａは、実施例の駆動制御部（図２）１４０の駆動画像データ生成部１４０に代えて駆動画像データ生成部１４２Ａを備えている。この駆動画像データ生成部１４２Ａは、実施例の駆動画像データ生成部１４２のデータレジスタ１４２ｂを、１／２フレームバッファ１４２ｄおよび演算部１４２ｅに代えた構成を有している。
【００４６】
１／２フレームバッファ１４２ｄは、ラインバッファ１４２ａから読み出される画像データ２ＸＰＸＤＳを、倍速クロック信号２ＸＰＣＫに同期して順に取り込んで一時記憶するとともに、記憶した画像データを順番に読み出すメモリである。ただし、そのメモリサイズは、１フレームの画像データを記憶するために必要なサイズの半分（１／２）である。また、倍速クロック信号２ＸＰＣＫに同期して、１／２フレームバッファ１４２ｄから順に読み出される画像データは、［１／２Ｖ］期間前にラインバッファ１４２ａから読出されて、１／２フレームバッファ１４２ｄに記憶された画像データである。
【００４７】
演算部１４２ｅは、１／２フレームバッファ１４２ｄから読み出された画像データと、あらかじめ設定されている定数と、を乗算して得られたマスクデータを、マスクデータ信号ＣＤＳとして出力する。この定数としては、０以上で１よりも小さい値が設定される。なお、この定数は、あらかじめ、制御部３００（図１）によって図示しないバスを介して演算部１４２ｅに設定されている。
【００４８】
ここで、この定数が０よりも大きく１よりも小さい値の場合には、本来の画像の輝度よりも低い輝度を表す画像データがマスクデータＣＤＳとして出力される。また、この定数が０の場合には、上記実施例の駆動画像データ生成部１４２と同様に、黒色の画像データがマスクデータＣＤＳとして出力される。
【００４９】
液晶パネル１００を構成する駆動制御部として、実施例の駆動制御部１４０ではなく上記構成の駆動制御部１４０Ａを用いた場合には、図３を用いて説明した、第２期間において選択されるラインに対応する各液晶画素に書き込まれるマスクデータとして、黒色の画像データではなく、約［１／２Ｖ］期間前に書き込まれて表示されている各液晶画素の画像データに応じた値とすることができる。これにより、実施例のように黒色の画像データをマスクデータとする場合に比べて、表示の明るさの低下を抑制しつつ、その前に表示していた画像の影響をより効果的に抑制して、新たな画像を表示することができ、動画像のボケをより効果的に抑制することが可能となる。
【００５０】
なお、上記構成の駆動制御部１４０Ａの場合には、ラインバッファ１４２ａに加えて１／２フレームメモリ１４２ｄが必要とされるが、そのメモリサイズは１／２フレーム分のメモリ容量であり、ラインバッファ１４２ａと１／２フレームバッファ１４２ｄのメモリ容量を足し合わせたとしても、従来技術のような1フレーム分のメモリ容量に比べれば、十分小さいと言える。
【００５１】
Ｂ．変形例：
なお、この発明は上記の実施例や実施形態に限られるものではなく、その要旨を逸脱しない範囲において種々の態様において実施することが可能である。
【００５２】
Ｂ１．変形例１：
上記実施例では、液晶装置である液晶パネル１００を用いた直視型の液晶表示装置を例に説明しているが、液晶装置をライトバルブとして利用し、液晶装置から射出された画像を表す光（画像光）を、投写光学系を用いて投写スクリーン上で結像させることにより、投写スクリーンＳＣ上に画像を投写するプロジェクタとすることも可能である。
【００５３】
Ｂ２．変形例２：
上記実施例では、第２期間において順に活性化する走査線の先頭を、全走査線を上下２分割したうちの後半の先頭の走査線、すなわち、ある第１期間において対応する走査線を活性化した後、［１／２Ｖ］期間経過後の第１期間において活性化される走査線としている。上記実施例のように、第１期間に活性化される走査線と第２期間に活性化される走査線を設定すれば、最も効率よく動作させることができるが、これに限定されるものではなく、第１期間で活性化される走査線から所定間隔離れた走査線を先頭とすればよい。
【００５４】
Ｂ３．変形例３：
上記実施例では、水平同期信号ＨＳＹＮＣの１周期の期間である［１Ｈ］期間のうち、前半の［１／２Ｈ］期間を第１期間とし、後半の［１／２Ｈ］期間を第２期間として説明しているが、前半の［１／２Ｈ］期間を第２期間とし、後半の［１／２Ｈ］期間を第１期間とするようにしてもよい。
【図面の簡単な説明】
【００５５】
【図１】本発明の実施例としての液晶表示装置の概略構成を示す説明図である。
【図２】駆動制御部の概略構成を示す説明図である。
【図３】液晶パネルの駆動動作について示す説明図である。
【図４】ある液晶画素に書き込まれる画像データとその液晶画素で表示される画像の輝度について示す説明図である。
【図５】駆動制御部の他の構成を示す説明図である。
【符号の説明】
【００５６】
１０００...液晶表示装置
１００...液晶パネル部
１１０...液晶パネル
１１２...液晶画素
１１４...ＴＦＴ
１２０...垂直駆動部
１３０...水平駆動部
１４０...駆動制御部
１４０Ａ...駆動制御部
１４２...駆動画像データ生成部
１４２Ａ...駆動画像データ生成部
１４２ａ...ラインバッファ
１４２ｂ...データレジスタ
１４２ｃ...セレクタ
１４２ｄ...１／２フレームバッファ
１４２ｅ...演算部
１４４...駆動タイミング制御部
２００...画像信号入力処理部
３００...制御部
【図１】
2006227235.tif 000003
【図２】
2006227235.tif 000004
【図３】
2006227235.tif 000005
【図４】
2006227235.tif 000006
【図５】
2006227235.tif 000007